(57)【要約】【課題】  撮影画像に添付する情報を、情報端末で容易に加工・編集して設定することができ、この情報を容易に撮像端末に転送することができて、ユーザの利便性を向上する。【解決手段】  撮像端末は、情報端末に対して、ブルートゥースＳＰＰの接続を要求する。撮像端末と情報端末の間で、ブルートゥースＳＰＰ接続が確立した後は、情報端末から撮像端末へ、カテゴリ領域にデータを設定するように指示するコマンド、カメラメモ領域にデータを設定するように指示するコマンド、カテゴリ項目にリンクされたカメラメモを指定するように指示するコマンド、等を送る。情報端末は、これらのコマンドを、編集アプリケーションで情報を設定し、編集しながらリアルタイムに発行しても良いし、編集アプリケーションで情報を設定し、編集した後に発行しても良い。情報端末から全ての情報を転送した後、撮像端末は、情報端末に対して、ブルートゥースＳＰＰの切断を要求する。【選択図】    図９
2006279906.tif 000002
【特許請求の範囲】
【請求項１】
無線通信機能を有する情報端末と無線通信機能および撮影機能を有する撮像端末との間でポイントツーポイントの無線通信を行って情報を交換することが可能なシステムにおいて、
前記情報端末で編集され、設定された情報を、リモートの無線通信機能を利用して、前記撮像端末内の情報構造の位置を特定するＩＤ番号と指定された位置のデータとを連結して、前記情報端末から前記撮像端末へ送信する手段と、
前記撮像端末で、受信したＩＤ番号とデータとを、撮影時に撮影画像に添付する情報フォーマットに展開する手段と、
前記撮像端末で、撮影時に撮影画像に添付する情報を表示選択することを可能とする手段と、
前記撮像端末で、撮影時に展開された情報を自動的に撮影画像に添付する手段と
を有することを特徴とする通信情報転送方式。
【請求項２】
無線通信機能を有する情報端末と無線通信機能および撮影機能を有する撮像端末との間で、ポイントツーポイントの無線通信を行って情報を交換することが可能なシステムにおいて、
前記情報端末で編集され、設定された情報を、リモートの無線通信機能を利用して、ファイル単位の情報として、前記情報端末から前記撮像端末へ送信する手段と、
前記撮像端末で、受信したファイルを自動的にシステムに登録する手段と、
前記撮像端末で、登録されたファイルを、撮影時に撮影画像に添付する情報フォーマットに展開する手段と、
前記撮像端末で、撮影時に撮影画像に添付する情報を表示選択することを可能とする手段と、
前記撮像端末で、撮影時に展開された情報を自動的に撮影画像に添付する手段と
を有することを特徴とする通信情報転送方式。
【請求項３】
前記情報端末から、リモートの無線通信で、撮影時に撮影画像に添付する情報を受信した場合に、受信したデータを表示する確認画面を表示する手段と、
前記確認画面で、登録が選択された場合には、受信したＩＤ番号およびデータを、撮影時に撮影画像に添付する情報フォーマットに展開する手段と、
前記確認画面で、非登録が選択された場合には、受信した情報を破棄する手段と
を有することを特徴とする請求項１に記載の通信情報転送方式。
【請求項４】
情報端末から、リモートの無線通信で、撮影時に撮影画像に添付する情報を受信した場合に、受信したデータを表示する確認画面を表示するか否かの選択肢を事前にシステムに登録する手段と、
受信したデータを表示する確認画面を表示するか否かを示すオン／オフを表示ユニットにてユーザが選択することを可能とする手段と
を有することを特徴とする請求項３に記載の通信情報転送方式。
【請求項５】
撮影時に撮影画像に添付する情報を受信した場合に、受信したデータを登録するか否かの選択肢を事前にシステムに登録する手段と、
受信したデータを登録するか否かを示すオン／オフを表示ユニットにてユーザが選択することを可能とする手段と
を有することを特徴とする請求項１または請求項２に記載の通信情報転送方式。
【請求項６】
無線通信機能を有する情報端末と無線通信機能および撮影機能を有する撮像端末との間で、ポイントツーポイントの無線通信の接続が完了し、撮像端末がデータを受信する状態にあることが判別できるような表示を行う手段を有することを特徴とする請求項１に記載の通信情報転送方式。
【発明の詳細な説明】
【技術分野】
【０００１】  本発明は、ディジタルカメラ等の画像撮影機能を有する撮像端末とＰＤＡ（携帯情報端末）、ＰＣ（パーソナルコンピュータ）および携帯電話等を含む無線通信機能を有する情報端末との間でポイントツーポイントの無線通信を行い、情報の交換が可能なシステムにおける通信情報転送方式に関するものである。
【背景技術】
【０００２】  近年、ディジタルカメラ等の画像撮影機能を有する装置に係る撮像システムとして、例えば、特許文献１（特開平１０−３０８９４３号）、特許文献２（特開２００１−６９４５４号）、特許文献３（特開２００３−２２４７５０号）および特許文献４（特開２００２−１５８９５３号）等に示されるように、撮影した画像と一緒に、当該画像に関連する種々の情報を一緒に記録するシステムが提案されている。
すなわち、特許文献１〜特許文献４には、いずれもディジタルカメラで撮影された画像に、情報を付加することが記載されている。特許文献１は、電子透かし技術に関するものであり、情報を撮影した画像にどのように情報を添付するかという技術である。つまり、特許文献１には、撮影画像と情報をどのように関連させるかという技術ではなく、撮影画像にどのように情報を持たせるかというデータ処理系の技術が示されている。特許文献２〜特許文献４は、撮影画像と情報をどのように関連させるかという技術に関するものであり、特許文献２には、ディジタルカメラの記憶媒体（ＳＤカード等）に予め情報を設定しておき、その情報を検索し、選択し、撮影する画像にその情報を自動的に添付する技術が示されている。特許文献３と比較すると、情報の入力および実装方式が異なる。特許文献３には、ディジタルカメラ本体に情報を入力するモードを実装し、情報を入力して、その情報を撮影する画像に自動的に添付する技術が示されている。【０００３】  特許文献４は、ディジタルカメラ本体に情報を設定して、その情報に合わせて撮影する技術に関するものである。特許文献１〜特許文献３が、撮影された画像に情報を添付するための技術に関するものであったのに対して、特許文献４には、情報に撮影画像を添付する技術が示されている。すなわち特許文献４の技術においては、情報に複数の撮影画像を添付することもある。
画像と一緒に記憶された情報はＰＣ等に転送されて、前記画像処理に係る様々な後処理を行うための情報として利用される。また、情報としては、ユーザが事前に設定した文字列情報や、ディジタルカメラで記録される音声情報や、ディジタルカメラ装置で一時的に入力された情報などが存在し、ディジタルカメラでその情報を一元的に表示したり、自由に検索設定可能にすることによって、ユーザの操作性を向上することも可能になっている。【０００４】
【特許文献１】  特開平１０−３０８９４３号公報
【特許文献２】  特開２００１−６９４５４号公報
【特許文献３】  特開２００３−２２４７５０号公報
【特許文献４】  特開２００２−１５８９５３号公報
【発明の開示】
【発明が解決しようとする課題】
【０００５】  本発明は、上述した事情に鑑みてなされたもので、撮影画像に添付する情報を、情報端末で容易に加工および編集して設定することができ、この情報を容易に撮像端末に転送することができて、ユーザの利便性を向上することを可能とする通信情報転送方式を提供することを目的としている。
本発明の請求項１の目的は、特に、撮影画像に添付する情報を、容易に加工および編集して設定することができ、しかもこの情報をシリアル的に転送して撮影画像に添付することを可能とする通信情報転送方式を提供することにある。
本発明の請求項２の目的は、特に、撮影画像に添付する情報を、容易に加工および編集して設定することができて、しかもこの情報を適宜量ずつ転送して撮影画像に添付することを可能とする通信情報転送方式を提供することにある。
本発明の請求項３の目的は、特に、撮影画像に添付するために転送された情報を所望に応じて撮影画像に添付し得る通信情報転送方式を提供することにある。
本発明の請求項４の目的は、特に、撮影画像に添付するために転送された情報を所望に応じて撮影画像に添付するか否かを所望により選択し得る通信情報転送方式を提供することにある。
本発明の請求項５の目的は、特に、撮影画像に添付するために転送された情報を撮影画像に添付するか否かを所望により選択し得る通信情報転送方式を提供することにある。
本発明の請求項６の目的は、特に、撮影画像に添付するための情報を転送可能か否かを確認することが可能な通信情報転送方式を提供することにある。
【課題を解決するための手段】
【０００６】  請求項１に記載した本発明に係る通信情報転送方式は、上述した目的を達成するために、
無線通信機能を有する情報端末と無線通信機能および撮影機能を有する撮像端末との間でポイントツーポイントの無線通信を行って情報を交換することが可能なシステムにおいて、
前記情報端末で編集され、設定された情報を、リモートの無線通信機能を利用して、前記撮像端末内の情報構造の位置を特定するＩＤ番号と指定された位置のデータとを連結して、前記情報端末から前記撮像端末へ送信する手段と、
前記撮像端末で、受信したＩＤ番号とデータとを、撮影時に撮影画像に添付する情報フォーマットに展開する手段と、
前記撮像端末で、撮影時に撮影画像に添付する情報を表示選択することを可能とする手段と、
前記撮像端末で、撮影時に展開された情報を自動的に撮影画像に添付する手段と
を有することを特徴としている。【０００７】  請求項２に記載した本発明に係る通信情報転送方式は、上述した目的を達成するために、
無線通信機能を有する情報端末と無線通信機能および撮影機能を有する撮像端末との間で、ポイントツーポイントの無線通信を行って情報を交換することが可能なシステムにおいて、
前記情報端末で編集され、設定された情報を、リモートの無線通信機能を利用して、ファイル単位の情報として、前記情報端末から前記撮像端末へ送信する手段と、
前記撮像端末で、受信したファイルを自動的にシステムに登録する手段と、
前記撮像端末で、登録されたファイルを、撮影時に撮影画像に添付する情報フォーマットに展開する手段と、
前記撮像端末で、撮影時に撮影画像に添付する情報を表示選択することを可能とする手段と、
前記撮像端末で、撮影時に展開された情報を自動的に撮影画像に添付する手段と
を有することを特徴としている。【０００８】  請求項３に記載した本発明に係る通信情報転送方式は、請求項１の通信情報転送方式であって、
前記情報端末から、リモートの無線通信で、撮影時に撮影画像に添付する情報を受信した場合に、受信したデータを表示する確認画面を表示する手段と、
前記確認画面で、登録が選択された場合には、受信したＩＤ番号およびデータを、撮影時に撮影画像に添付する情報フォーマットに展開する手段と、
前記確認画面で、非登録が選択された場合には、受信した情報を破棄する手段と
を有することを特徴としている。
請求項４に記載した本発明に係る通信情報転送方式は、請求項３の通信情報転送方式であって、
情報端末から、リモートの無線通信で、撮影時に撮影画像に添付する情報を受信した場合に、受信したデータを表示する確認画面を表示するか否かの選択肢を事前にシステムに登録する手段と、
受信したデータを表示する確認画面を表示するか否かを示すオン／オフを表示ユニットにてユーザが選択することを可能とする手段と
を有することを特徴としている。【０００９】  請求項５に記載した本発明に係る通信情報転送方式は、請求項１または請求項２の通信情報転送方式であって、
撮影時に撮影画像に添付する情報を受信した場合に、受信したデータを登録するか否かの選択肢を事前にシステムに登録する手段と、
受信したデータを登録するか否かを示すオン／オフを表示ユニットにてユーザが選択することを可能とする手段と
を有することを特徴としている。
請求項６に記載した本発明に係る通信情報転送方式は、請求項１の通信情報転送方式であって、
無線通信機能を有する情報端末と無線通信機能および撮影機能を有する撮像端末との間で、ポイントツーポイントの無線通信の接続が完了し、撮像端末がデータを受信する状態にあることが判別できるような表示を行う手段を有することを特徴としている。
【発明の効果】
【００１０】  本発明によれば、撮影画像に添付する情報を、情報端末で容易に加工および編集して設定することができ、この情報を容易に撮像端末に転送することができて、ユーザの利便性を向上することを可能とする通信情報転送方式を提供することができる。
すなわち本発明の請求項１の通信情報転送方式によれば、
無線通信機能を有する情報端末と無線通信機能および撮影機能を有する撮像端末との間でポイントツーポイントの無線通信を行って情報を交換することが可能なシステムにおいて、
前記情報端末で編集され、設定された情報を、リモートの無線通信機能を利用して、前記撮像端末内の情報構造の位置を特定するＩＤ番号と指定された位置のデータとを連結して、前記情報端末から前記撮像端末へ送信する手段と、
前記撮像端末で、受信したＩＤ番号とデータとを、撮影時に撮影画像に添付する情報フォーマットに展開する手段と、
前記撮像端末で、撮影時に撮影画像に添付する情報を表示選択することを可能とする手段と、
前記撮像端末で、撮影時に展開された情報を自動的に撮影画像に添付する手段と
を有することにより、特に、情報が容易に加工および編集可能な情報端末で撮影画像に添付する情報を設定し、容易に撮像端末に情報を転送して撮影画像に添付することを可能にし、ユーザの利便性を向上することを可能にしている。【００１１】  また、本発明の請求項２の通信情報転送方式によれば、
無線通信機能を有する情報端末と無線通信機能および撮影機能を有する撮像端末との間で、ポイントツーポイントの無線通信を行って情報を交換することが可能なシステムにおいて、
前記情報端末で編集され、設定された情報を、リモートの無線通信機能を利用して、ファイル単位の情報として、前記情報端末から前記撮像端末へ送信する手段と、
前記撮像端末で、受信したファイルを自動的にシステムに登録する手段と、
前記撮像端末で、登録されたファイルを、撮影時に撮影画像に添付する情報フォーマットに展開する手段と、
前記撮像端末で、撮影時に撮影画像に添付する情報を表示選択することを可能とする手段と、
前記撮像端末で、撮影時に展開された情報を自動的に撮影画像に添付する手段と
を有することより、特に、撮影画像に添付する情報を、容易に加工および編集して設定することができて、しかもこの情報を適宜量ずつ転送して撮影画像に添付することが可能となる。【００１２】  本発明の請求項３の通信情報転送方式によれば、請求項１の通信情報転送方式において、
前記情報端末から、リモートの無線通信で、撮影時に撮影画像に添付する情報を受信した場合に、受信したデータを表示する確認画面を表示する手段と、
前記確認画面で、登録が選択された場合には、受信したＩＤ番号およびデータを、撮影時に撮影画像に添付する情報フォーマットに展開する手段と、
前記確認画面で、非登録が選択された場合には、受信した情報を破棄する手段と
を有することにより、持に、撮影画像に添付するために転送された情報を所望に応じて撮影画像に添付することができる。
本発明の請求項４の通信情報転送方式によれば、請求項３の通信情報転送方式において、
情報端末から、リモートの無線通信で、撮影時に撮影画像に添付する情報を受信した場合に、受信したデータを表示する確認画面を表示するか否かの選択肢を事前にシステムに登録する手段と、
受信したデータを表示する確認画面を表示するか否かを示すオン／オフを表示ユニットにてユーザが選択することを可能とする手段と
を有することにより、特に、撮影画像に添付するために転送された情報を所望に応じて撮影画像に添付するか否かを所望により選択することができる。【００１３】  本発明の請求項５の通信情報転送方式によれば、請求項１または請求項２の通信情報転送方式において、
撮影時に撮影画像に添付する情報を受信した場合に、受信したデータを登録するか否かの選択肢を事前にシステムに登録する手段と、
受信したデータを登録するか否かを示すオン／オフを表示ユニットにてユーザが選択することを可能とする手段と
を有することにより、特に、撮影画像に添付するために転送された情報を撮影画像に添付するか否かを所望により選択することができる。
本発明の請求項６の通信情報転送方式によれば、請求項１の通信情報転送方式において、
無線通信機能を有する情報端末と無線通信機能および撮影機能を有する撮像端末との間で、ポイントツーポイントの無線通信の接続が完了し、撮像端末がデータを受信する状態にあることが判別できるような表示を行う手段を有することにより、特に、撮影画像に添付するための情報を転送可能か否かを確認することを可能としている。
【発明を実施するための最良の形態】
【００１４】  以下、本発明の実施の形態に基づき、図面を参照して本発明の通信情報転送方式を詳細に説明する。
〔ディジタルカメラ〕
図１〜図４は、本発明の通信情報転送方式の一つの実施の形態に係る撮像端末の一例としてのディジタルカメラの構成を示している。図１は、ディジタルカメラの全体の構成を模式的に示す上面図、図２は、図１のディジタルカメラを被写体側から見た正面図、図３は、図１および図２のディジタルカメラを撮影者側から見た背面図、そして図４は、図１〜図３のディジタルカメラのシステム構成を示すブロック図である。
図１〜図３に示すディジタルカメラ１は、カメラボディ２の被写体に面する正面側に、鏡胴ユニット３、ストロボ発光部４、測距ユニット５、光学ファインダ６およびリモコン（リモートコントロール）受光部７を具備し、カメラボディ２の上面部に、レリーズボタン９、モードダイヤル１０およびサブＬＣＤ（液晶表示部）１１を具備し、カメラボディ２の通常は撮影者に面する背面側には、ＬＣＤモニタ１３、ＡＦ（オートフォーカス）−ＬＥＤ（発光ダイオード）１４、ストロボＬＥＤ１５、電源スイッチ１６、操作ボタンユニット１７およびズームボタン１８を具備し、そしてカメラボディ２の一方の側面部にはカードスロット２２を具備している。【００１５】  操作部１９は、レリーズボタン９、モードダイヤル１０、電源スイッチ１６、操作ボタンユニット１７およびズームボタン１８により構成され、記録媒体としてのメモリカードのような外部拡張メモリカード、あるいはＬＡＮカード、無線ＬＡＮカードまたはブルートゥース（Ｂｌｕｅｔｏｏｔｈ）カードのようなインタフェースカード等の外部拡張カード２１（図１〜図３には示されていない）は、カードスロット２２に装着格納され、電源電池（図示されていない）は、電池装填部（明確には図示されていない）に装填される。
すなわち、ディジタルカメラ１のカメラボディ２の正面側の中央近傍には、被写体撮影光を入射結像させる撮影光学系を備える鏡胴ユニット３が設けられ、鏡胴ユニット３の上方には、被写体に照射すべくストロボ照明光を発光するストロボ発光部４と、オートフォーカス（ＡＦ）の際に被写体との距離を測定するための測距ユニット５と、ユーザが目視によって撮影範囲等を確認するための光学ファインダ６とが設けられている。また、光学ファインダ６の下方には、ユーザにより操作される図示されていないリーモートコントローラ（リモコン送信機）からのリモートコントロール用の光信号を受光するリモコン受光部７が設けられている。ディジタルカメラ１のカメラボディ２の上面部には、撮影を指令するためのレリーズボタン９と、撮影モードを切り換えるためのモードダイヤル１０と、撮影枚数または撮影可能枚数等を表示するサブＬＣＤ１１とが設けられている。【００１６】  また、ディジタルカメラ１のカメラボディ２の背面側には、撮影画像等を表示するＬＣＤモニタ１３と、撮影時のＡＦの合焦／非合焦等のフォーカシング状態を示すＡＦ−ＬＥＤ１４と、ストロボの電源コンデンサの充電状態を示すストロボＬＥＤ１５と、電源のオン／オフを切り換えるための電源スイッチ１６と、動作指示や各種設定等を外部から行うための操作ボタンユニット１７と、ズーミング操作を行うためのズームボタン１８とが設けられている。ＡＦ−ＬＥＤ１４およびストロボＬＥＤ１５は、システムの動作モード等によっては、ＡＦおよびストロボ以外の表示用途、例えば外部拡張カード２１（図４参照）がアクセス中であることを示す表示などの表示用途にも流用される。なお、レリーズボタン９、モードダイヤル１０、電源スイッチ１６、操作ボタンユニット１７およびズームボタン１８を一括して操作部１９と総称する。さらに、ディジタルカメラ１のカメラボディ２の側面部には上述した外部拡張カード２１（図４参照）が、取り外し可能に装着されるカードスロット２２が設けられている。【００１７】  図４は、図１〜図３に示したディジタルカメラ１のシステムの概略構成を示している。図４に示すディジタルカメラ１は、図１〜図３に関連して触れた鏡胴ユニット３、ストロボ発光部４、測距ユニット５、リモコン受光部７、サブＬＣＤ１１、ＬＣＤモニタ１３、ＡＦ−ＬＥＤ１４、ストロボＬＥＤ１５、操作部１９およびカードスロット２２を具備している。操作部１９は、レリーズボタン９、モードダイヤル１０、電源スイッチ１６、操作ボタンユニット１７およびズームボタン１８を含み、記録媒体としてのメモリカード等の外部拡張カード２１は、外部拡張カードインタフェースであるカードスロット２２に装着格納され、図示されていないが、電源電池は電池装填部に装填される。さらに、図４に示すディジタルカメラ１は、ズームレンズ３０、ズーム駆動モータ３１、フォーカスレンズ３３、フォーカス駆動モータ３４、絞り３６、絞りモータ３７、メカニカルシャッタ（メカシャッタ）３９、メカシャッタモータ４０、モータドライバ４２、ＣＣＤ（電荷結合素子）固体撮像素子４５、Ｆ／Ｅ（フロントエンド）−ＩＣ（集積回路）４６、ディジタルスチルカメラプロセッサ５０、ＲＯＭ（��ードオンリメモリ）６５、ＲＡＭ（ランダムアクセスメモリ）６６、ＳＤＲＡＭ（シンクロナスダイナミックＲＡＭ）６７、内蔵メモリ６８、ＬＣＤドライバ６９、ビデオアンプ（ビデオ増幅器）７０、ビデオジャック７１、ＵＳＢ（Ｕｎｉｖｅｒｓａｌ  Ｓｅｒｉａｌ  Ｂｕｓ）コネクタ７２、シリアルドライバ回路７３、ＲＳ−２３２Ｃコネクタ７４、サブＣＰＵ（中央処理部）７５、ブザー７６、サブＬＣＤドライバ７７、マイク（マイクロフォン）７９、マイクアンプ（マイク増幅器）８０、音声記録回路８１、スピーカ８３、音声再生回路８４、オーディオアンプ８５、ブルートゥース回路８６およびストロボ回路９１を具備している。【００１８】  ズームレンズ３０およびズーム駆動モータ３１は、ズーム光学系３２を構成し、フォーカスレンズ３３およびフォーカス駆動モータ３４は、フォーカス光学系３５を構成し、絞り３６および絞りモータ３７は絞りユニット３８を構成し、そしてメカシャッタ３９およびメカシャッタモータ４０は、メカシャッタユニット４１を構成している。Ｆ／Ｅ−ＩＣ４６は、ＣＤＳ（Ｃｏｒｒｅｌａｔｅｄ  Ｄｏｕｂｌｅ  Ｓａｍｐｌｉｎｇ〜相関二重サンプリング）部４７、ＡＧＣ（Ａｕｔｏ  Ｇａｉｎ  Ｃｏｎｔｒｏｌｌｅｒ〜自動利得制御器）４８、Ａ／Ｄ（アナログ−ディジタル）変換器４９およびＴＧ（Ｔｉｍｉｎｇ  Ｇｅｎｅｒａｔｏｒ〜タイミング発生器）５２を有している。ディジタルスチルカメラプロセッサ５０は、第１のＣＣＤ信号処理ブロック５１、第２のＣＣＤ信号処理ブロック５３、ＣＰＵ（中央処理部）ブロック５４、ローカルＳＲＡＭ（スタティックＲＡＭ）５５、ＵＳＢブロック５６、シリアルブロック５７、ＪＰＥＧ−ＣＯＤＥＣブロック５８、リサイズブロック５９、ＴＶ（テレビジョン）信号表示ブロック６０およびカードコントローラブロック６１を備えている。【００１９】  すなわち、図４において、鏡胴ユニット３は、被写体の光学画像を取り込む被駆動部材としてのズームレンズ３０および該ズームレンズ３０を駆動する駆動源モータとしてのズーム駆動モータ３１を備えたズーム光学系３２と、フォーカスレンズ３３およびフォーカス駆動モータ３４を備えたフォーカス光学系３５と、絞り３６および絞りモータ３７を備えた絞りユニット３８と、メカシャッタ３９およびメカシャッタモータ４０を備えたメカシャッタユニット４１と、これらズーム駆動モータ３１、フォーカス駆動モータ３４、絞りモータ３７およびメカシャッタモータ４０等の直流モータを駆動するモータドライバ４２とを設けて構成されている。そして、モータドライバ４２は、リモコン受光部７の入力や操作部１９の操作入力に基づいて、後述するディジタルスチルカメラプロセッサ５０内にあるＣＰＵブロック５４からの駆動指令によって駆動制御される。
ＲＯＭ６５には、ＣＰＵブロック５４にて解読可能なコードで記述された、制御プログラムや制御するためのパラメータが格納されている。電源スイッチ１６が操作されて、ディジタルカメラ１の電源がオン状態になると、ＲＯＭ６５に格納された制御プログラムが、図示されていないメインメモリにロードされ、ＣＰＵブロック５４はその制御プログラムに従ってディジタルカメラ１の各部の動作を制御するとともに、制御に必要なデータを一時的にＲＡＭ６６およびローカルＳＲＡＭ５５に保存する。【００２０】  なお、ここで説明する実施の形態では、ＲＯＭ６５には書き換え可能なフラッシュＲＯＭを用いている。フラッシュＲＯＭのように書き換え可能な不揮発性メモリを使用することで、制御プログラムや制御に必要なパラメータ等を変更することが可能となり、機能のバージョンアップ等を容易に行うことができる。
ＣＣＤ固体撮像素子４５は、鏡胴ユニット３で取り込まれ結像された光学画像情報を電気信号からなるアナログ画像信号に変換する。また、Ｆ／Ｅ−ＩＣ４６は、画像ノイズを除去するために相関二重サンプリングを行うＣＤＳ部４７と、利得調整を行うＡＧＣ部４８と、画像信号のディジタル信号への変換を行うＡ／Ｄ変換器４９と、ディジタルスチルカメラプロセッサ５０の第１のＣＣＤ信号処理ブロック５１から垂直同期信号（ＶＤ信号）および水平同期信号（ＨＤ信号）を受けて駆動タイミング信号を生成するＴＧ５２とを備えている。【００２１】  制御手段であるディジタルスチルカメラプロセッサ５０は、ＣＣＤ固体撮像素子４５からＦ／Ｅ−ＩＣ４６を経由して入力されたディジタル画像データに対するホワイトバランス調整設定やガンマ調整設定を行うとともに上述したようにＶＤ信号およびＨＤ信号を出力する第１のＣＣＤ信号処理ブロック５１と、フィルタリング処理により輝度データ・色差データへの変換を行う第２のＣＣＤ信号処理ブロック５３と、リモコン受光部７や操作部１９から入力される信号に基づき、ＲＯＭ６５に格納された制御プログラムに従って、モータドライバ４２やＣＣＤ固体撮像素子４５等のような当該ディジタルカメラ１の各部の動作を制御するＣＰＵブロック５４と、このＣＰＵブロック５４の制御に必要なデータ等を一時的に保存するローカルＳＲＡＭ５５と、ＰＣ（パーソナルコンピュータ）等の外部機器とＵＳＢインタフェースを用いて通信するためのＵＳＢブロック５６と、ＰＣ等の外部機器とシリアル通信を行うためのシリアルブロック５７と、ＪＰＥＧ方式による圧縮・伸張を行うＪＰＥＧ−ＣＯＤＥＣブロック５８と、画像データのサイズを補間処理により拡大／縮小するリサイズブロック５９と、画像データをＬＣＤモニタ１３やＴＶ等の外部表示機器に表示するためのビデオ信号を生成するＴＶ信号表示ブロック６０と、撮影された画像データを記録するメモリカード等の外部拡張カード２１の制御を行うカードコントローラブロック６１とを備えている。なお、ＲＯＭ６５には、ＣＰＵブロック５４において解読し且つ実行することが可能なコードで記述された制御プログラムや該ＣＰＵブロック５４の制御に必要なデータ等が格納される。【００２２】  ＳＤＲＡＭ６７は、ディジタルスチルカメラプロセッサ５０によって各種の処理が施される際にその過程および結果における画像データを一時的に保存する。保存される画像データは、例えば、ＣＣＤ固体撮像素子４５からＦ／Ｅ−ＩＣ４６を経由して取り込まれ第１のＣＣＤ信号処理ブロック５１でホワイトバランス設定およびガンマ設定が行われた状態の「ＲＡＷ−ＲＧＢ画像データ」、第２のＣＣＤ信号処理ブロック５３で輝度データ・色差データへの変換が行われた状態の「ＹＵＶ画像データ」およびＪＰＥＧ−ＣＯＤＥＣブロック５８でＪＰＥＧ圧縮等が行われた状態の「ＪＰＥＧ画像データ」等である。
カードスロット２２は、メモリカード等の外部拡張カード２１を着脱可能に装着するためのスロットである。カードスロット２２には、外部拡張メモリカード以外に、着脱可能なＬＡＮカード、無線ＬＡＮカード、またはブルートゥースカードなどのインタフェースカードも装着することが可能である。撮影された画像は、このようなインタフェースカードを経由して外部機器に転送することも可能である。
ブルートゥース回路８６は、外部機器とブルートゥース規格に従った無線通信を行うための無線通信回路で、撮影された画像は、このブルートゥース回路８６経由で外部機器に転送することも可能である。【００２３】  また、内蔵メモリ６８は、例えばカードスロット２２に外部拡張カード２１としてメモリカード等の外部拡張メモリカードが装着されていない場合等に、撮影した画像データを記憶するために設けられており、外部拡張メモリカードが装着されていない場合にも、撮影した画像データを、この内蔵メモリ６８によって記憶することができるようになっている。
ＬＣＤドライバ６９は、ＬＣＤモニタ１３を駆動するとともに、ＴＶ信号表示ブロック６０から出力されたビデオ信号をＬＣＤモニタ１３に表示するための信号に変換する。このようにすることによって、ＬＣＤモニタ１３では、ユーザが撮影前に被写体の状態を監視したり、撮影した画像を確認したり、外部拡張カード２１や内蔵メモリ６８に記録された画像データを見て確認したり鑑賞したりすることができる。
ビデオアンプ７０は、ＴＶ信号表示ブロック６０から出力されたビデオ信号を、例えばインピーダンス７５Ωのビデオ信号にインピーダンス変換するアンプであり、ビデオジャック７１は、ビデオ信号を表示し得るＴＶ等の外部表示機器に接続するためのジャックである。ＵＳＢコネクタ７２は、ＰＣ等の外部機器との間でＵＳＢによる通信を行うために、そのような外部機器にＵＳＢ接続するためのコネクタである。シリアルドライバ回路７３はＰＣ等の外部機器との間でシリアル通信を行うためにシリアルブロック５７の出力信号電圧を変換する回路であり、ＲＳ−２３２Ｃコネクタ７４は、ＰＣ等の外部機器とシリアル接続を行うためのコネクタである。【００２４】  サブＣＰＵ７５は、例えばＲＯＭやＲＡＭ等を含んでワンチップに内蔵したマイクロプロセッサ等からなるＣＰＵであり、リモコン受光部７や操作部１９からの出力信号をユーザの操作情報としてＣＰＵブロック５４に出力するとともに、このＣＰＵブロック５４から出力されたディジタルカメラ１の状態に応じた制御情報をサブＬＣＤ１１、ＡＦ−ＬＥＤ１４、ストロボＬＥＤ１５およびブザー７６等に対する制御信号に変換して出力する。サブＬＣＤ１１は、例えば撮影可能枚数等を表示するための表示部であり、サブＬＣＤドライバ７７は、サブＣＰＵ７５からの出力信号に基づいてサブＬＣＤ１１を駆動するドライブ回路である。
音声記録ユニットは、ユーザが音声信号を入力するマイク７９と、入力された音声信号を増幅するマイクアンプ８０と、増幅された音声信号を記録する音声記録回路８１とを備えている。また、音声再生ユニットは、記録された音声信号をスピーカ８３から出力するための信号に変換する音声再生回路８４と、変換された音声信号を増幅してスピーカ８３を駆動するためのオーディオアンプ８５と、増幅された音声信号を音響出力するスピーカ８３とを備えている。【００２５】  〔ＰＤＡ〕
図５は、本発明の通信情報転送方式の一つの実施の形態に係る撮像端末の他の一例としてのＰＤＡの構成を模式的に示すブロック図である。図５を参照してＰＤＡについて説明する。
図５に示したＰＤＡは、システムバス１０１と、ＣＰＵ１０２と、プログラムを格納するＰＲＯＭ１０３と、プログラムやデータのワーク領域となるＲＡＭ１０４と、撮影された画像ファイルや、システムファイルや、データファイル等を格納する内蔵メモリ１０５と、ハードウェアキー（ハードキー）を１０７の操作を検出するキーインタフェース（キーＩ／Ｆ）制御部１０６と、シャッタやズームキーなどのハードウェアキー１０７と、カメラ部１０９と、カメラ部１０９を制御するカメラ制御部１０８と、カメラ制御部１０８から取り込まれた画像をＪＰＥＧ規格に従ってエンコードしたり、メモリに格納されているＪＰＥＧデータをデコードしたりする画像圧縮伸張制御部１１２と、カメラ制御部１０８からの画像データや、画像圧縮伸張制御部１１２からの画像データをＬＣＤ部１１１に映像信号として出力したりする画像制御部１１０と、ＵＳＢインタフェース（ＵＳＢ  Ｉ／Ｆ）制御部１１３と、プリンタ１２１と接続するＵＳＢケーブル１１４と、ＣＦ（コンパクトフラッシュ（登録商標））制御部１１５と、ＣＦインタフェース（ＣＦ  Ｉ／Ｆ）１１６と、ＣＦインタフェース１１６に挿入される通信カード１１７と、ＳＤカード制御部１１８と、ＳＤカードインタフェース（ＳＤカードＩ／Ｆ）１１９と、ＳＤカードインタフェース１１９に挿入されるＳＤカード２０と、ＵＳＢケーブル１１４または通信カード１１７経由でこのＰＤＡと接続されるプリンタ１２１と、マイク（マイクロフォン）１２３と、マイクロフォン１２３からのアナログ音声信号をディジタル変換するＡ／Ｄ変換部１２２とを具備して構成している。【００２６】  通常の撮影は、次のような順序に従って行われる。ハードウェアキー１０７の操作で撮影開始を認識する。カメラ部１０９で画像を取込む。カメラ部１０９から出力される画像信号を、画像制御部１１０が、ＲＧＢデータやＹｃｂＣｒデータ等のフレームデータに変換して必要な画像処理を行った後、その画像データをＲＡＭ１０４に転送する。転送された画像データは画像圧縮伸長制御部１１２で、例えばＪＰＥＧ等の画像データに圧縮エンコードされて、再びＲＡＭ１０４に転送される。ＲＡＭ１０４に格納されたＪＰＥＧ等の画像データは、必要なヘッダ処理を行った後、内蔵メモリ１０５もしくはＳＤカード制御部１１８を介してＳＤカード１２０に記録される。
図５の構成を図４に示した構成と比較すると、カメラ部１０９が鏡胴ユニット３に、カメラ制御部１０８が、ＣＣＤ固体撮像素子４５を含むＦ／Ｅ−ＩＣ４６に、そして画像制御部１１０が、第１のＣＣＤ信号処理ブロック５１と第２のＣＣＤ信号処理ブロック５３にそれぞれ対応する。図５のＰＤＡのカメラ機能の部分は、図４のディジタルカメラ１よりも性能面では劣る場合もあるが、基本的な機能は同様である。本発明は、ディジタルカメラでも、ＰＤＡでも、基本的なカメラ機能が実装されていれば実現可能である。【００２７】  〔カメラメモ機能〕
カメラメモ機能は、図４に示された内蔵メモリ６８、またはメモリカードスロット２２経由で装着されたメモリカード２１にカメラメモデータを格納する。カメラメモデータとは、撮影画像に添付するデータであり、例えばテキスト情報、音声データおよびその他の情報の少なくとも一部とする。ディジタルカメラ１は、電源オンのシステム起動時に、内蔵メモリ６８、またはメモリカードスロット２２経由で装着されたメモリカード２１に事前に格納されているカメラメモデータを、ＲＡＭ６６にロードしてシステム内に取り込む。取り込まれたカメラメモデータは、ユーザの操作によって適宜選択することが可能である。選択されたカメラメモデータは、撮影時に、カメラメモデータとして、取込んだ画像情報と一緒に、内蔵メモリ６８、またはメモリカードスロット２２経由で装着されたメモリカード２１に記録される。【００２８】  図６に、この実施の形態における本発明に係るカメラメモデータの表示方式を示している。カメラメモデータには、中項目のデータと、小項目のデータとがある。図６のＣａｔｅｇｏｒｙ１、Ｃａｔｅｇｏｒｙ２、Ｃａｔｅｇｏｒｙ３、Ｃａｔｅｇｏｒｙ４およびＣａｔｅｇｏｒｙ５は、中項目に該当する。中項目の下には小項目がリンクされる。例えば、図６のＣａｍｅｒａ  Ｍｅｍｏ０１、Ｃａｍｅｒａ  Ｍｅｍｏ２３、Ｃａｍｅｒａ  Ｍｅｍｏ３２、Ｃａｍｅｒａ  Ｍｅｍｏ３３およびＣａｍｅｒａ  Ｍｅｍｏ１４は、小項目に該当する。図６の左側に示されたＣａｔｅｇｏｒｙ１、Ｃａｔｅｇｏｒｙ２、Ｃａｔｅｇｏｒｙ３、Ｃａｔｅｇｏｒｙ４およびＣａｔｅｇｏｒｙ５の中項目データと、Ｃａｍｅｒａ  Ｍｅｍｏ０１、Ｃａｍｅｒａ  Ｍｅｍｏ２３、Ｃａｍｅｒａ  Ｍｅｍｏ３２、Ｃａｍｅｒａ  Ｍｅｍｏ３３、Ｃａｍｅｒａ  Ｍｅｍｏ１４の小項目データは、撮影時にカメラメモデータとして、取込んだ画像情報と一緒に、内蔵メモリ６８もしくはメモリカードスロット２２経由で装着されたメモリカード２１に記録される。【００２９】  また、図６の右側は、Ｃａｔｅｇｏｒｙ１、Ｃａｔｅｇｏｒｙ２、Ｃａｔｅｇｏｒｙ３、Ｃａｔｅｇｏｒｙ４およびＣａｔｅｇｏｒｙ５の中項目にリンクされる小項目を選択可能とする。各Ｃａｔｅｇｏｒｙには、Ｃａｍｅｒａ  Ｍｅｍｏ０１からＣａｍｅｒａ  Ｍｅｍｏ５０までが事前にシステムに登録されている。ＴＥＭＰＯＲＡＲＹは、システムに事前に登録されているデータ以外に、図４の操作部１９を使って一時的に入力する情報を意味する。ＲＥＣＯＲＤは、Ｃａｍｅｒａ  Ｍｅｍｏ０１〜Ｃａｍｅｒａ  Ｍｅｍｏ５０およびＴＥＭＰＯＲＡＲＹ情報以外に、マイク７９、マイクアンプ８０および音声記録回路８１を使って、音声データなどの大容量データを登録することを選択可能とする。
図７に、この実施の形態における本発明に係るカメラメモデータのデータ構造を示している。図７に示したカメラメモデータ構造は、図６に示した表示方式に対応している。例えば、Ｃａｔｅｇｏｒｙデータの登録件数は最大５件で、最大データ長を３２ｂｙｔｅとする。Ｃａｍｅｒａ  Ｍｅｍｏデータの登録件数は、最大５０件で、最大データ長を３２ｂｙｔｅとする。Ｓｏｕｎｄ  Ｍｅｍｏデータの登録件数は、最大５件で、最大データ長を６４Ｋｂｙｔｅとする。Ｃａｔｅｇｏｒｙデータ、Ｃａｍｅｒａ  ＭｅｍｏデータおよびＴＥＭＰＯＲＡＲＹデータは、テキスト形式の情報とし、Ｓｏｕｎｄ  Ｍｅｍｏデータは、ＰＣＭ形式のデータとする。
図６および図７で示したカメラメモデータの形式は、あくまでも一例であり、テキスト形式およびＰＣＭ形式などの情報フォーマットや、登録最大件数およびデータ最大長などは、本発明において制限するものではない。【００３０】  〔プロトコルスタック〕
図４に示したディジタルカメラは、メモリカードスロット２２に装着されたブルートゥースカードを使用するか、もしくは、ブルートゥース回路８６を経由して、ブルートゥース通信を実現する。
図８に、この実施の形態における本発明に係るブルートゥースプロトコルスタック構造を示している。
機器側のブルートゥースプロトコルスタックは、ハードウェアを直接制御するＨＷデバイスドライバと、ホストとホストコントローラとの通信を制御するＨＣＩ（ホストコントローラインタフェース）と、論理チャネルの設定および、レイヤパケットの分割、組み立てを行うＬ２ＣＡＰ（論理リンク制御および適応化プロトコル）と、ブルートゥース無線通信のプロトコルをＲＳ２３２Ｃ等のインタフェースに変換するＲＦＣＯＭＭと、データ（オブジェクト）の送信／受信を行うＯＢＥＸ（オブジェクト交換）と、ブルートゥース機器のサービスを検索するＳＤＰ（サービス検索プロトコル）と、ダイヤルアップ通信を実現するＤＵＮ（ダイヤルアップネットワーク）と、画像の送信／受信を行うＢＩＰ（基本イメージプロトコル）と、シリアル通信を実現するＳＰＰ（シリアルポートプロファイル）と、ＢＩＰを制御して画像の送信／受信を実現するＢＩＰアプリケーションと、ＯＢＥＸを制御してファイル送信／受信を実現するＯＰＰアプリケーションと、ＤＵＮを制御してダイヤルアップ通信を実現するネットワークアプリケーションと、ＳＰＰを制御してシリアル通信を実現するＳＰＰアプリケーションと、ＳＤＰを制御してブルートゥース機器の検索を行うＳＤＰアプリケーションとから構成されている。【００３１】  このような機器側のブルートゥースプロトコルスタックにＣＦカードインタフェース（Ｉ／Ｆ）を介して結合されたブルートゥースカードは、ホストとホストコントローラとの通信を制御するＨＣＩファームウェアと、ブルートゥース機器間の接続の確立を制御するリンクマネージャファームウェアと、物理的な無線部分とブルートゥースを接続するベースバンドコントローラとから構成されている。【００３２】  〔ＳＰＰプロトコル〕
図９に、この実施の形態における本発明に係るブルートゥースＳＰＰプロトコルシーケンスを示している。ＳＰＰプロトコルは、ブルートゥースのシリアル通信機能を提供する。撮像端末は、情報端末に対して、ＢｌｕｅｔｏｏｔｈＳＰＰの接続を要求する。接続は情報端末側から実行しても良い。撮像端末と情報端末の間で、Ｂｌｕｅｔｏｏｔｈ  ＳＰＰ接続が確立した後は、情報端末から撮像端末へ、ＣａｔｅｇｏｒｙＤａｔａ  Ｓｅｔｔｉｎｇ  Ｒｅｑｕｅｓｔ  Ｃｏｍｍａｎｄを送信する。Ｃａｔｅｇｏｒｙ  Ｄａｔａ  Ｓｅｔｔｉｎｇ  Ｒｅｑｕｅｓｔ  Ｃｏｍｍａｎｄは、図７のＣａｔｅｇｏｒｙ領域にデータを設定するように指示するコマンドとする。ＭｅｍｏＤａｔａ  Ｓｅｔｔｉｎｇ  Ｒｅｑｕｅｓｔ  Ｃｏｍｍａｎｄは、図７のＣｅｍａｒａ  Ｍｅｍｏ領域にデータを設定するように指示するコマンドとする。Ｍｅｍｏ  ＰｏｓｉｔｉｏｎＳｅｔｔｉｎｇ  Ｒｅｑｕｅｓｔ  Ｃｏｍｍａｎｄは、図６のカメラメモＯＳＤサンプルに表示されているように、Ｃａｔｅｇｏｒｙ項目にリンクされたＣｅｍａｒａ  Ｍｅｍｏを指定するように指示するコマンドとする。ＳｏｕｎｄＤａｔａ  Ｓｅｔｔｉｎｇ  Ｒｅｑｕｅｓｔ  Ｃｏｍｍａｎｄは、図７のＳｏｕｎｄ  Ｍｅｍｏ領域にデータを設定するように指示するコマンドとする。【００３３】  情報端末は、上記コマンドを、例えば、編集アプリケーション（テキストエディタ）で情報を設定し、編集しながらリアルタイムに発行しても良いし、編集アプリケーション（テキストエディタ）で情報を設定し、編集した後に発行してもかまわない。情報端末から全ての情報を転送した後、撮像端末は、情報端末に対して、ＢｌｕｅｔｏｏｔｈＳＰＰの切断を要求する。切断は情報端末側から実行しても良い。
図１０に、この実施の形態における本発明に係るデータフォーマットを示す。図１０のデータフォーマットは、図９のブルートゥースＳＰＰプロトコルシーケンスで使用される。例えば、データは、アスキーコードを使用する。データの先頭には、データの開始を認識するための特殊なコード（Ｓｔａｒｔ  Ｃｏｄｅ）を定義する。データの終端には、データの終了を認識するための特殊なコード（Ｅｎｄ  Ｃｏｄｅ）を定義する。また、転送されるデータの先頭には、図７に示したＣａｔｅｇｏｒｙデータの番号と、ＣａｍｅｒａＭｅｍｏデータの番号を指定する、「０１」〜「０５」を設定する。情報端末は、図１０に示したデータフォーマットに従いデータを送信し、撮像端末は、図１０に示したデータフォーマットに従い図７に示した、Ｃａｔｅｇｏｒｙ領域と、ＣａｍｅｒａＭｅｍｏ領域にデータを登録し、展開する。【００３４】  〔ＯＰＰプロトコル〕
図１１に、この実施の形態における本発明に係るＢｌｕｅｔｏｏｔｈ  ＯＰＰＰプロトコルシーケンスを示す。ＯＰＰプロトコルは、Ｂｌｕｅｔｏｏｔｈのファイル転送通信機能を提供する。撮像端末は、情報端末に対して、ＢｌｕｅｔｏｏｔｈＯＰＰの接続を要求する。接続は情報端末側から実行しても良い。撮像端末と情報端末の間で、Ｂｌｕｅｔｏｏｔｈ  ＯＰＰ接続が確立した後は、情報端末から撮像端末へ、カメラメモテキストファイルを送信する。カメラメモテキストファイルは、図７のＣａｔｅｇｏｒｙ情報と、ＣｅｍａｒａＭｅｍｏ情報を全て一緒にしたテキスト形式のファイルとする。情報端末は、上記ファイルを、例えば、編集アプリケーション（テキストエディタ）で情報を設定し、編集した後に発行する。情報端末からファイル情報を受信した後、撮像端末は、情報端末に対して、ＢｌｕｅｔｏｏｔｈＯＰＰの切断を要求する。切断は情報端末側から実行しても良い。【００３５】  図１２に、この実施の形態における本発明に係るファイルフォーマットを示す。図１２のファイルフォーマットは、図１１のＢｌｕｅｔｏｏｔｈＯＰＰプロトコルシーケンスで使用される。例えば、データは、アスキーコードを使用し、ファイルはテキスト形式とする。図１１のファイルフォーマットは、図７に示したカメラメモデータ構造と対応している。「／／＊＊１  ＣＡＴＥＧＯＲＹ１」と、「／／＊＊２  ＣＡＴＥＧＯＲＹ２」と、「／／＊＊３  ＣＡＴＥＧＯＲＹ３」と、「／／＊＊４  ＣＡＴＥＧＯＲＹ４」と、「／／＊＊５  ＣＡＴＥＧＯＲＹ５」の特殊コードは、図７の各Ｃａｔｅｇｏｒｙデータの境界を示す。「／／＊＊１  ＣＡＴＥＧＯＲＹ１」の下には、Ｃａｔｅｇｏｒｙ１にリンクされるＣａｍｅｒａＭｅｍｏデータ０１〜１０が記述されている。Ｃａｔｅｇｏｒｙ２〜５も同じルールで記述される。情報端末は、図１２に示したファイルフォーマットに従いファイルを転送し、撮像端末は、図１２に示したファイルフォーマットに従い図７に示した、Ｃａｔｅｇｏｒｙ領域と、ＣａｍｅｒａＭｅｍｏ領域にデータを登録、展開する。【００３６】  〔ＯＳＤサンプル〕
図１３に、この実施の形態における本発明に係るＯＳＤ表示サンプルを示す。図１３に示したＯＳＤサンプルの一番目の画面は、通常の撮影モードで表示される画面である。
図１３に示したＯＳＤサンプルの二番目の画面は、図９のＳＰＰプロトコルシーケンスを実行する時に、情報端末からＢｌｕｅｔｏｏｔｈ  ＳＰＰ通信経由で、撮影時に撮影画像に添付する情報を受信した場合に、受信したデータを表示表示する。表示内容としては、受信を受付けるかのメッセージと、受信したデータの先頭のデータを表示する。ユーザは、この画面で、受信データを登録するか、未登録とするか選択する。未登録を選択した場合は、図１３に示したＯＳＤサンプルの一番目の画面に戻る。登録を選択した場合は、例えば、図９のＳｏｕｎｄＤａｔａ  Ｓｅｔｔｉｎｇ  Ｒｅｑｕｅｓｔ  Ｃｏｍｍａｎｄを受信した場合は、登録番号を００として、図１３の三番目の左側の画面に遷移する。図９のＭｅｍｏ  ＤａｔａＳｅｔｔｉｎｇ  Ｒｅｑｕｅｓｔ  Ｃｏｍｍａｎｄを受信した場合は、指定登録番号を表示して、図１３の三番目の右側の画面に遷移する。登録画面を確認した後は、図１３に示したＯＳＤサンプルの一番目の画面に戻る。【００３７】  〔１〕シリアル通信方式（請求項１に対応する構成）
図５のようなシステム構成を持ち、無線通信機能を有する情報端末と、図１〜図３のような外観で、図４または図５のようなシステム構成を持つ無線通信機能と撮影機能を有する撮像端末の間で、図８に示したプロトコルスタックを実装し、ＳＰＰアプリケーションと、ＳＰＰを使用して、ポイントツーポイントの無線通信を行い、シリアル通信での情報の交換が可能なシステムを実現する（〔プロトコルスタック〕を参照されたい）。
情報端末で編集、設定された情報をリモートの無線通信機能を利用して、撮像端末内の情報構造の位置を特定するＩＤ番号と、指定された位置のデータを連結して情報端末から撮像端末へ送信する。撮像端末で、受信したＩＤ番号とデータを、撮影時に撮影画像に添付する情報フォーマットに展開する（〔ＳＰＰプロトコル〕を参照されたい）。
撮像端末で、撮影時に撮影画像に添付する情報を表示選択することが可能となる。撮像端末で、撮影時に展開された情報を自動的に撮影画像に添付する（〔カメラメモ機能〕を参照されたい）。
以上の機能を実装することによって、情報の加工、編集が容易な情報端末で撮影画像に添付する情報を設定し、容易に撮像端末に情報を転送することを可能とし、ユーザの利便性を向上することを可能としている。【００３８】  〔２〕ファイル転送方式（請求項２に対応する構成）
図５のようなシステム構成を持ち、無線通信機能を有する情報端末と、図１〜図３のような外観で、図４または図５のようなシステム構成を持つ無線通信機能と撮影機能を有する撮像端末の間で、図８に示したプロトコルスタックを実装し、ＯＰＰアプリケーションと、ＯＢＥＸを使用して、ポイントツーポイントの無線通信を行い、ファイル転送通信での情報の交換が可能なシステムを実現する（〔プロトコルスタック〕を参照されたい）。
情報端末で編集、設定された情報をリモートの無線通信機能を利用して、ファイル単位の情報として情報端末から撮像端末へ送信する。撮像端末で、受信したファイルを自動的にシステムに登録する。撮像端末で、登録されたファイルから、撮影時に撮影画像に添付する情報フォーマットに展開する（〔ＳＰＰプロトコル〕を参照されたい）。
撮像端末で、撮影時に撮影画像に添付する情報を表示選択することが可能となる。撮像端末で、撮影時に展開された情報を自動的に撮影画像に添付する（〔カメラメモ機能〕を参照されたい）。
以上の機能を実装することによって、情報の加工、編集が容易な情報端末で撮影画像に添付する情報を設定し、容易に撮像端末に情報を転送することを可能とし、ユーザの利便性を向上することを可能としている。【００３９】  〔３〕シリアル通信方式：ＯＳＤ確認画面（請求項３に対応する構成）
上述した〔１〕において、情報端末からリモートの無線通信で、撮影時に撮影画像に添付する情報を受信した場合に、受信したデータを表示した確認画面を表示する（〔ＯＳＤサンプル〕を参照されたい）。
確認画面で登録が選択された場合は、受信したＩＤ番号とデータを、撮影時に撮影画像に添付する情報フォーマットに展開する（〔カメラメモ機能〕を参照されたい）。非登録が選択された場合は、受信した情報を破棄する。
以上の機能を実装することによって、情報の加工および編集が容易な情報端末で撮影画像に添付する情報を設定し、容易に撮像端末に情報を転送することを可能とし、ユーザの利便性を向上することを可能としている。【００４０】  〔４〕シリアル通信方式：ＯＳＤ確認画面表示スイッチ（請求項４に対応する構成）
前述した〔３〕において、情報端末からリモートの無線通信で、撮影時に撮影画像に添付する情報を受信し場合、受信したデータを表示した確認画面を表示するかどうかの選択肢を事前にシステムに登録する。表示するかどうかのオン／オフを表示ユニットでユーザが選択することを可能とする。図１４に、ＳＥＴＵＰモードでのＯＳＤサンプルを示している。ＳＥＴＵＰ項目に「ＳＰＰ受信画面表示」という項目を追加し、「オン」と「オフ」のパラメータを選択できるようにする。このパラメータは、電源オフ時にシステムに格納され、電源オン時にシステムに自動的にロードされる。以上の機能を実装することによって、情報の加工および編集が容易な情報端末で撮影画像に添付する情報を設定し、容易に撮像端末に情報を転送することを可能とし、ユーザの利便性を向上することを可能としている。【００４１】  〔５〕ファイル書込み許可（請求項５に対応する構成）
上述した〔１〕および〔２〕において、撮影時に撮影画像に添付する情報を受信し場合、受信したデータを登録するかどうかの選択肢を事前にシステムに登録する。登録するかどうかのオン／オフを表示ユニットでユーザが選択することが可能である。図１５にＳＥＴＵＰモードでのＯＳＤサンプルを示す。ＳＥＴＵＰ項目に「リモート登録許可」という項目を追加し、「オン」と「オフ」のパラメータを選択できるようにする。このパラメータは、電源オフ時にシステムに格納され、電源オン時にシステムに自動的にロードされる。
以上の機能を実装することによって、情報の加工、編集が容易な情報端末で撮影画像に添付する情報を設定し、容易に撮像端末に情報を転送することを可能とし、ユーザの利便性を向上することを可能としている。【００４２】  〔６〕シリアル通信方式：リモート通信中アイコン表示（請求項６に対応する構成）
上述した〔１〕において、無線通信機能を有する情報端末と、無線通信機能および撮影機能を有する撮像端との間で、ポイントツーポイントの無線通信の接続が完了し、撮像端末でデータを受信する状態にあることが判別できるような表示を行う手段を有する。図１６に本発明の一実施例である接続状態と、電波強度のＯＳＤサンプルを示す。例えば、通信の接続状況を示す（接続中）と、電波の強度を示す（ＬＥＶＥＬ０２）とが表示される。以上の機能を実装することによって、情報の加工、編集が容易な情報端末で撮影画像に添付する情報を設定し、容易に撮像端末に情報を転送することを可能にし、ユーザの利便性を向上することを可能にしている。
【図面の簡単な説明】
【００４３】
【図１】  本発明の通信情報転送方式の一つの実施の形態に係る撮像端末の一例としてのディジタルカメラの構成を模式的に示す上面図である。
【図２】  図１のディジタルカメラを被写体側から見た正面図である。
【図３】  図１のディジタルカメラを撮影者側から見た背面図である。
【図４】  図１〜図３のディジタルカメラのシステムの概略構成を示すブロック図である。
【図５】  本発明の通信情報転送方式の実施の形態に係る撮像端末の他の一例としてのＰＤＡの構成を模式的に示すブロック図である。
【図６】  本発明の通信情報転送方式の実施の形態におけるカメラメモのＯＳＤ（オンスクリーンディスプレイ）サンプルを示す模式図である。
【図７】  本発明の通信情報転送方式の実施の形態における図６のカメラメモのデータ構造を示す模式図である。
【図８】  本発明の通信情報転送方式の実施の形態におけるプロトコルスタック構造を示す模式図である。
【図９】  本発明の通信情報転送方式の実施の形態におけるＳＰＰ（シリアルポートプロファイル）プロトコルシーケンスを示す模式的なシーケンス図である。
【図１０】  本発明の通信情報転送方式の実施の形態におけるデータフォーマットの一例を示す模式図である。
【図１１】  本発明の通信情報転送方式の実施の形態におけるＯＰＰプロトコルシーケンスを示す模式的なシーケンス図である。
【図１２】  本発明の通信情報転送方式の実施の形態におけるファイルフォーマットを示す模式図である。
【図１３】  本発明の通信情報転送方式の実施の形態におけるＯＳＤ表示サンプルを示す模式図である。
【図１４】  本発明の通信情報転送方式の実施の形態におけるセットアップモードでのＯＳＤサンプルを示す模式図である。
【図１５】  本発明の通信情報転送方式の実施の形態におけるセットアップモードでの他のＯＳＤサンプルを示す模式図である。
【図１６】  本発明の通信情報転送方式の実施の形態におけるその他のＯＳＤサンプルを示す模式図である。
【符号の説明】
【００４４】１    ディジタルカメラ
２    カメラボディ
３    鏡胴ユニット
４    ストロボ発光部
５    測距ユニット
６    光学ファインダ
７    リモコン（リモートコントロール）受光部
９    レリーズボタン
１０    モードダイヤル
１１    サブＬＣＤ（液晶表示部）
１３    ＬＣＤモニタ
１４    ＡＦ（オートフォーカス）−ＬＥＤ（発光ダイオード）
１５    ストロボＬＥＤ
１６    電源スイッチ
１７    操作ボタンユニット
１８    ズームボタン
１９    操作部
２１    外部拡張カード
２２    カードスロット
３０    ズームレンズ
３１    ズーム駆動モータ
３２    ズーム光学系
３３    フォーカスレンズ
３４    フォーカス駆動モータ
３５    フォーカス光学系
３６    絞り
３７    絞りモータ
３８    絞りユニット
３９    メカニカルシャッタ（メカシャッタ）
４０    メカシャッタモータ
４１    メカシャッタユニット
４２    モータドライバ
４５    ＣＣＤ（電荷結合素子）固体撮像素子
４６    Ｆ／Ｅ（フロントエンド）−ＩＣ（集積回路）
４７    ＣＤＳ（相関二重サンプリング）部
４８    ＡＧＣ（自動利得制御器）
４９    Ａ／Ｄ（アナログ−ディジタル）変換器
５０    ディジタルスチルカメラプロセッサ
５１    第１のＣＣＤ信号処理ブロック
５２    ＴＧ（Ｔｉｍｉｎｇ  Ｇｅｎｅｒａｔｏｒ〜タイミング発生器）
５３    第２のＣＣＤ信号処理ブロック
５４    ＣＰＵ（中央処理部）ブロック
５５    ローカルＳＲＡＭ（スタティックＲＡＭ）
５６    ＵＳＢブロック
５７    シリアルブロック
５８    ＪＰＥＧ−ＣＯＤＥＣブロック
５９    リサイズブロック
６０    ＴＶ（テレビジョン）信号表示ブロック
６１    カードコントローラブロック
６５    ＲＯＭ（リードオンリメモリ）
６６    ＲＡＭ（ランダムアクセスメモリ）
６７    ＳＤＲＡＭ（シンクロナスダイナミックＲＡＭ）
６８    内蔵メモリ
６９    ＬＣＤドライバ
７０    ビデオアンプ（ビデオ増幅器）
７１    ビデオジャック
７２    ＵＳＢ（Ｕｎｉｖｅｒｓａｌ  Ｓｅｒｉａｌ  Ｂｕｓ）コネクタ
７３    シリアルドライバ回路
７４    ＲＳ−２３２Ｃコネクタ
７５    サブＣＰＵ（中央処理部）
７６    ブザー
７７    サブＬＣＤドライバ
７９    マイク（マイクロフォン）
８０    マイクアンプ（マイク増幅器）
８１    音声記録回路
８３    スピーカ
８４    音声再生回路
８５    オーディオアンプ
８６    ブルートゥース回路
９１    ストロボ回路
１０２    ＣＰＵ
１０３    ＰＲＯＭ
１０４    ＲＡＭ
１０５    内蔵メモリ
１０６    キーＩ／Ｆ制御部
１０７    ハードウェアキー
１０８    カメラ制御部
１０９    カメラ部
１１０    画像制御部
１１１    ＬＣＤ部
１１２    画像圧縮伸張制御部
１１３    ＵＳＢ  Ｉ／Ｆ制御部
１１４    ＵＳＢケーブル
１１５    ＣＦ制御部
１１６    ＣＦインタフェース
１１７    通信カード
１１８    ＳＤカード制御部
１１９    ＳＤカードインタフェース
１２０    ＳＤカード
１２１    プリンタ
１２２    Ａ／Ｄ変換部
１２３    マイクロフォン
【図１】
2006279906.tif 000003
【図２】
2006279906.tif 000004
【図３】
2006279906.tif 000005
【図４】
2006279906.tif 000006
【図５】
2006279906.tif 000007
【図６】
2006279906.tif 000008
【図７】
2006279906.tif 000009
【図８】
2006279906.tif 000010
【図９】
2006279906.tif 000011
【図１０】
2006279906.tif 000012
【図１１】
2006279906.tif 000013
【図１２】
2006279906.tif 000014
【図１３】
2006279906.tif 000015
【図１４】
2006279906.tif 000016
【図１５】
2006279906.tif 000017
【図１６】
2006279906.tif 000018